(57)【特許請求の範囲】
【請求項１】
温水式暖房システム内に設けられ、外部の放熱端末器と接続される温水暖房装置であって、
前記温水暖房装置は、循環ポンプと、温水を加熱する加熱手段たる燃焼部と、温水温度を検知する温度検知器と、前記燃焼部に空気を供給する送風装置を有し、
前記温水暖房装置と、前記放熱端末器は、温水配管によって接続されており、
前記温水配管は、温水が前記放熱端末器側に流れる往き配管と、前記温水が前記温水暖房装置側に流れる戻り配管で構成され、
前記温水暖房装置、あるいは前記往き配管及び前記戻り配管には、開閉弁が設けられ、
それぞれの前記開閉弁は、前記温水暖房装置の運転開始の際と運転停止の際には、所定の時間差及び所定の順序にて駆動し、前記運転開始の際は、まず往き側の前記開閉弁が開弁し、さらに所定時間経過後、戻り側前記開閉弁が開弁し、前記運転停止の際は、まず戻り側前記開閉弁が閉弁し、さらに所定時間経過後、往き側前記開閉弁が閉弁するものであり、
前記温水暖房装置を停止する際は、前記温度検知器の検知温度が所定温度以下に達したことを条件として、あるいは所定温度温度以下となってから一定時間経過することを条件として、前記循環ポンプの運転を停止させると共に、前記温度検知器の検知温度が所定の送風停止温度以下に達するまで、あるいは所定の送風停止温度以下となってから一定時間経過するまで、前記送風装置を、通常の暖房運転中の出力より高出力にして運転を行うことを特徴とする温水暖房装置。
【請求項２】
前記温水暖房装置の運転開始時においては、前記循環ポンプは、最初に開弁動作を始める前記開閉弁が開弁する以前、あるいは前記開閉弁が開弁する際に運転を開始し、
前記温水暖房装置の運転停止時においては、最後に閉弁される前記開閉弁が閉弁された際、あるいは前記開閉弁が閉弁してから所定時間経過後に前記循環ポンプの運転を停止することを特徴とする請求項１に記載の温水暖房装置。
【請求項３】
前記開閉弁の開閉動作中においては、前記循環ポンプの出力を通常の暖房運転中の出力未満にすることを特徴とする請求項１又は２に記載の温水暖房装置。
【請求項４】
前記温水暖房装置は、制御方法の切換手段を有し、前記切換手段によって、前記温水暖房装置を停止する際の前記条件を解除することができることを特徴とする請求項１乃至３のいずれかに記載の温水暖房装置。
【請求項５】
前記開閉弁は、前記放熱端末器と、前記温水暖房装置あるいは前記温水配管に設けられており、前記放熱端末器の運転停止の所定時間前までに、前記放熱端末器の運転が停止あるいは前記開閉弁が閉弁した場合、前記放熱端末器の前記開閉弁を開弁させることを特徴とする請求項１乃至４のいずれかに記載の温水暖房装置。
【発明の詳細な説明】
【技術分野】
【０００１】
本発明は、温水配管により温水を循環させる温水暖房装置に関するものであり、特には温水暖房装置より高位置に放熱端末器を設置した場合に適した温水暖房装置に関する。
【背景技術】
【０００２】
温水式暖房システムは、放熱端末器とガス等を燃料として循環する温水を加熱する温水暖房装置を備えたものが利用されている。このような暖房システムにおいては、種々の原因により配管内に空気が入り込み、時間の経過と共に、その配管内に空気が滞留する問題が生じる。
【０００３】
ここで、放熱端末器が温水暖房装置より高位置に設置される場合がある。この場合、配管内に滞留した空気の作用により、放熱端末器内の湯水が「落水」することがある。さらに、この「落水」により、温水暖房装置に備えられた開放式タンクに温水が流れ込み、溢れてしまう懸念が生じる。
【０００４】
そこで、このような「落水」する問題を防止するために、特許文献１では、定期的に循環ポンプを駆動させて、配管内の温水を強制的に循環させることにより、配管内に滞留する空気を抜いて「落水」を防止する方法が開示されている。また特許文献２では、温水式暖房システム内の往き配管と戻り配管の両方に閉止弁を設けて、開放式タンクへの「落水」を防止する方法が開示されている。
【特許文献１】実開平５−８３６１７号公報
【特許文献２】特開２００６−１４５１１９号公報
【発明の開示】
【発明が解決しようとする課題】
【０００５】
ところが、このような方法では、配管中に空気が滞留していない場合でも運転を行うといった非効率な状況が生じる（特許文献１）。また、放熱端末器が温水暖房装置より高位置に設置されている場合は、従来の暖房システムでは、運転を停止した際、循環ポンプが先に停止し、その後に閉止弁を閉止する。そのため、放熱端末器側の配管内の湯水が配管内の湯水の重力に引っ張られ、放熱端末器側の配管の圧力が下がる現象が生じる。このときの配管内の圧力は大気圧以下となり、１００℃に満たない温水が沸騰する低温沸騰の現象が発生する。
【０００６】
そこで本発明の温水暖房装置は、上記の問題に鑑みて、温水暖房装置を停止する際は、システム内を循環する温水が所定の温度以下に達したことを条件として、あるいは所定の温度以下に達した後、一定時間経過することを条件として、循環ポンプの運転を停止する温水暖房装置の提供を目的とした。
【課題を解決するための手段】
【０００７】
上記課題を解決するため、請求項１の発明は、温水式暖房システム内に設けられ、外部の放熱端末器と接続される温水暖房装置であって、前記温水暖房装置は、循環ポンプと、温水を加熱する加熱手段たる燃焼部と、温水温度を検知する温度検知器と、前記燃焼部に空気を供給する送風装置を有し、前記温水暖房装置と、前記放熱端末器は、温水配管によって接続されており、前記温水配管は、温水が前記放熱端末器側に流れる往き配管と、前記温水が前記温水暖房装置側に流れる戻り配管で構成され、前記温水暖房装置、あるいは前記往き配管及び前記戻り配管には、開閉弁が設けられ、それぞれの前記開閉弁は、前記温水暖房装置の運転開始の際と運転停止の際には、所定の時間差及び所定の順序にて駆動し、前記運転開始の際は、まず往き側の前記開閉弁が開弁し、さらに所定時間経過後、戻り側前記開閉弁が開弁し、前記運転停止の際は、まず戻り側前記開閉弁が閉弁し、さらに所定時間経過後、往き側前記開閉弁が閉弁するものであり、前記温水暖房装置を停止する際は、前記温度検知器の検知温度が所定温度以下に達したことを条件として、あるいは所定温度温度以下となってから一定時間経過することを条件として、前記循環ポンプの運転を停止させると共に、前記温度検知器の検知温度が所定の送風停止温度以下に達するまで、あるいは所定の送風停止温度以下となってから一定時間経過するまで、前記送風装置を、通常の暖房運転中の出力より高出力にして運転を行うことを特徴とする温水暖房装置である。
【０００８】
請求項１の温水暖房装置は、温水暖房装置の運転を停止する際は、循環ポンプの運転を継続し、暖房システム内の温水が循環する構成としている。そのため、高温の温水が配管内で滞留することがない。さらに、温度検知器により検知された温水の温度が、所定温度以下に達するまで、あるいは所定温度以下となってから一定時間経過するまで循環ポンプの運転を継続することから、配管の熱収縮によって配管内の圧力が上昇することで生じる「落水」を防止することができる。また、配管内に残留する湯水の温度が十分に低下してから循環ポンプを停止するので、たとえ配管内が大気圧以下となっても、温水は沸騰しない。そのため、従来技術で問題であった低温沸騰となることで生じる「落水」も防止することができる。
なお本発明の構成の中で「温水暖房装置」の文言の意味は、液体を加熱して暖房機器に供給する装置の総称であり、通常は水を主体とした熱媒体が使用されるが、それ以外の液体を使用する装置を排除するものではない。
【０００９】
送風停止温度は、所定温度と同一であってもよいし、別であっても構わない。請求項１の温水暖房装置は、温水暖房装置の運転を停止する際に、循環ポンプ及び送風装置の運転を行う制御としている。そのため、高温の温水の温度を冷却させる効果がより高くなり、配管の熱収縮や温水の低温沸騰による「落水」現象を防止することができる。
【００１０】
また、請求項１の温水暖房装置は、温水暖房装置の運転を停止する際は、送風装置の出力を、通常の出力より高出力に制御することで、高温の温水の冷却時間を短縮することができる。そうすることで、短時間で効率的な制御ができ、無駄な消費電力を抑えることができる。
【００１１】
また、請求項１の温水暖房装置は、それぞれの開閉弁を所定の時間差及び所定の順序で制御できる。つまり暖房システムの運転開始時及び停止時において、温水が循環するのに効率がよく、さらに配管内に空気が残留することを防止することができる。また放熱端末器が温水暖房装置より高位置に設置されている場合であっても、配管内が大気圧以下となり温水の低温沸騰による「落水」現象を防止することが可能となる。
【００１２】
請求項２の発明は、請求項１に記載の発明において、前記温水暖房装置の運転開始時においては、前記循環ポンプは、最初に開弁動作を始める前記開閉弁が開弁する以前、あるいは前記開閉弁が開弁する際に運転を開始し、前記温水暖房装置の運転停止時においては、最後に閉弁される前記開閉弁が閉弁された際、あるいは前記開閉弁が閉弁してから所定時間経過後に前記循環ポンプの運転を停止することを特徴とする温水暖房装置である。
【００１３】
請求項２の温水暖房装置は、運転開始の際に最初に開弁される開閉弁が開弁する以前あるいは開弁した際に、循環ポンプの運転が開始されるため、放熱端末器が温水暖房装置より高位置に設置されている場合であっても、配管内が大気圧以下になることがなく、運転が円滑に開始される。また運転停止の際に最後に閉弁する開閉弁が閉弁する際あるいは閉弁してから所定時間経過後に、循環ポンプを停止するため、放熱端末器が温水暖房装置より高位置に設置されている場合であっても、配管内が大気圧以下になることがなく運転が円滑に停止される。そのため、温水の低温沸騰による「落水」を防止することが可能となる。
【００１４】
請求項３の発明は、請求項１又は２に記載の発明において、前記開閉弁の開閉動作中においては、前記循環ポンプの出力を通常の暖房運転中の出力未満にすることを特徴とする温水暖房装置である。
【００１５】
請求項３の温水暖房装置は、開閉弁の開閉動作中において、循環ポンプの出力を通常の暖房運転中の出力未満に制御することで、循環ポンプの無駄な電力を抑えることができる。つまり、温水が開閉動作中の開閉弁から受ける抵抗を抑えることができるため、円滑に温水が循環できる。
【００１６】
請求項４の発明は、請求項１乃至３のいずれかに記載の発明において、前記温水暖房装置は、制御方法の切替手段を有し、前記切替手段によって、前記温水暖房装置を停止する際の前記条件を解除することができることを特徴とする温水暖房装置である。
【００１７】
請求項４の温水暖房装置は、切替手段を設けることで、現場の施工状況に応じて対応することが可能となる。ここで「落水」現象は、放熱端末器が温水暖房装置より高位置に設置された状況でのみ生じる現象である。そのため、このように切替手段を設けることで、「落水」対策が必要な現場のみに制御ができる。つまり、現場に応じて経済的に施工可能となる。
【００１８】
また、本発明に関連する発明は、温水暖房装置と少なくとも一つ以上の放熱端末器と両者を結ぶ温水配管よりなる温水式暖房システムであって、前記温水式暖房システム内には開閉弁と温水温度を検知する温度検知器が設けられ、前記温水暖房装置は加熱手段と循環ポンプを有し、前記温水暖房装置と前記放熱端末器はそれぞれ制御端末を有し、それぞれの前記制御端末は相互通信可能であり、前記放熱端末器の運転を停止する際は、前記温水式暖房システム内を循環する温水の検知温度が所定温度以下に達したことを条件として、あるいは所定温度以下となってから所定時間経過することを条件として、前記循環ポンプが停止し、これと同時またはこれより前に前記開閉弁の閉弁動作を実行させることを特徴とする温水式暖房システムである。
【００１９】
この関連発明の温水式暖房システムは、温水暖房装置と放熱端末器のそれぞれが制御端末を有し、相互通信可能とすることで、連動した制御ができる。そのため、開閉弁の開閉動作を時間差あるいは温度差により制御が可能となる。さらに所定温度以下に達するまで、あるいは所定温度以下になってから所定時間経過するまで、循環ポンプが運転を継続しており、さらに開閉弁の閉弁動作を遅延させる。そのため、温水の循環を阻止することがなく、高温の温水が配管内に滞留することを防止できる。つまり、放熱端末器が温水暖房装置より高位置に設置されている場合であっても、配管の熱収縮及び配管内が大気圧以下となり温水の低温沸騰による「落水」を防止することが可能となる。
【００２０】
請求項５の発明は、請求項１乃至４のいずれかに記載の発明において、前記開閉弁は、前記放熱端末器と、前記温水暖房装置あるいは前記温水配管に設けられており、前記放熱端末器の運転停止の所定時間前までに、前記放熱端末器の運転が停止あるいは前記開閉弁が閉弁した場合、前記放熱端末器の前記開閉弁を開弁させることを特徴とする温水暖房装置ある。
【００２１】
請求項５の温水式暖房システムは、放熱端末器に設けられた開閉弁が、放熱端末器の運転を停止する所定時間前までに閉弁した場合、その開閉弁を開弁させる制御とするため、放熱端末器側の配管に滞留する高温の温水を循環させることが可能となり、さらに温水を冷却することができる。そうすることで、放熱端末器が温水暖房装置より高位置に設置されている場合であっても、配管の熱収縮及び温水の低温沸騰による「落水」現象を防止することが可能となる。
【発明の効果】
【００２２】
本発明の温水暖房装置及び温水式暖房システムは、温水暖房装置を停止する際に、循環ポンプを運転し、配管内の温水が冷却されるため、温水の低温沸騰などにより「落水」を生じることがない。
【発明を実施するための最良の形態】
【００２３】
次に本発明の実施形態である温水暖房装置２及び温水式暖房システム１について図面を参照しながら詳細に説明する。図１は、本発明の一実施形態である温水式暖房システム１（以下、暖房システム１とも言う）の作動原理図である。温水式暖房システム１は、温水暖房装置２と放熱端末器３とそれらを接続する温水配管２３を組み合わせて構成されている。また、温水配管２３は、後述するシステム内を循環する往き配管２１と、戻り配管２２で構成されている。さらに温水暖房装置２内部には、戻り配管２２と繋がる戻り側内部接続管１８と、往き配管２１と繋がる往き側内部接続管１９が設けられている。
【００２４】
温水式暖房システム１は、温水暖房装置２で加熱された温水が、温水配管２３を介して放熱端末器３に流れ込み、放熱して、再び温水暖房装置２へと戻り、温水が循環するシステムである。
【００２５】
温水暖房装置２は、開放式タンク４と、熱交換部１６を有した熱源装置５と、循環ポンプ６と、循環する温水の温度を検知する温度検知器７と、制御端末８と、往き側開閉弁１３ｐと戻り側開閉弁１３ｑで構成されている。
【００２６】
開放式タンク４は、温水が溢れない程度に貯留可能な槽によって構成されている。開放式タンク４には、大気側と連通した貫通孔２７が設けられている。また開放式タンク４は、後述する戻り側開閉弁１３ｑより下流側で、熱源装置５と繋がった戻り側内部接続管１８が接続された配置である。言い換えれば、開放式タンク４は、戻り側であって、熱源装置５に対して上流側に配置されている。
【００２７】
熱源装置５は、開放式タンク４と接続されている戻り側内部接続管１８と、熱源装置５によって加熱された温水が排出される往き側内部接続管１９が接続されている。
【００２８】
熱源装置５は、熱交換部１６と、燃焼部（加熱手段）１７と、燃焼部１７に空気を送り込む送風装置１１で構成されている。
熱源装置５は、燃焼部１７において燃料を燃焼して発生する燃焼ガスとの熱交換により、戻り側内部接続管１８を流れる熱媒体を熱交換部１６において加熱し、これを後述する放熱端末器３に供給することができる。
【００２９】
燃焼部１７は、燃料供給管２５が接続されている。燃焼部１７は、この燃料供給管２５を介して供給されるオイルなどの液体燃料を気化させて燃焼させることができる。また燃焼部１７において液体燃料を燃焼させることにより発生する燃焼ガスは、燃焼部１７の内側に設けられた燃焼ガス通路２６を通って上方に向けて流れる。
熱交換部１６は、燃焼部１７に対して上方に配置されている。
【００３０】
送風装置１１は、燃焼部１７に燃焼用の空気を送り込むものである。さらに本発明では、送風装置１１は、燃焼部１７の運転停止後、一定時間運転を継続し、熱源装置５内部の排気以外に、温水配管２３を循環する高温の温水の冷却促進を図ることができる。
【００３１】
循環ポンプ６は、上述した開放式タンク４と熱源装置５とを結ぶ戻り側内部接続管１８の中途に設けられている。また循環ポンプ６は、公知のそれと同様であり、吸水口と吐出口を有し、温水を加圧するものである。
【００３２】
開閉弁１３は、往き側と戻り側にそれぞれ１つずつ設けられている。一方の開閉弁１３ｐは、往き側内部接続管１９の中途で、往き配管２１側に設けられており、他方の開閉弁１３ｑは、開放式タンク４の上流側で、戻り側内部接続管１８の中途に設けられている。
また、温水暖房装置２には、開閉弁１３にそれぞれ接続されている戻り側内部接続管１８と往き側内部接続管１９の中途をそれぞれ結ぶバイパス２０が設けられている。開閉弁１３と後述する開閉弁１０は、熱動弁や電磁弁等を用いることができる。本実施形態では、熱動弁を採用している。
【００３３】
制御端末８は、後述する放熱端末器３が有する制御端末９と接続された相互通信可能な通信線２９によって接続されている。さらに、制御端末８は弁用電圧部１４を有しており、弁用電圧部１４は、開閉弁１３と制御線３０によって接続されている。弁用電圧部１４は、往き側と戻り側で独立した２系統で構成されている。つまり暖房システム１の運転開始時及び停止時において、開閉弁１３を所定の時間差及び所定の順序に規制することができる。言い換えれば、往き側と戻り側で独立した電圧出力が可能となり、開閉弁１３を往き側や戻り側等の系統毎に駆動させることができる。
【００３４】
さらに制御端末８は、開閉弁１３の開閉動作や後述する放熱端末器３が有する制御端末９と相互に通信し、制御できるものである。また、制御端末８は、外部電源と接続され、電力供給を受ける電源コネクタを有している。
また本発明の制御端末８には、切替手段１２が設けられている。切替手段１２は、後述する本発明の制御を実行するか否かを切り替えることができる。言い換えれば、この切替手段１２により、制御を切り替え可能とすることで、「落水」の心配のない暖房システム１においては、ポスト循環やポストパージの時間を短縮でき、無駄な消費電力の発生を抑えることができる。
【００３５】
次に、往き配管２１と戻り配管２２が接続された放熱端末器３について説明する。
放熱端末器３は、８０〜８５℃程度の高温の温水を利用するファンコンベクターや、５０〜６０℃程度の低温の温水を利用する床暖房パネル等が採用可能である。本実施形態の温水式暖房システムは、ファンコンベクターを利用した温水式暖房システム１が示されている。
【００３６】
放熱端末器３は、制御端末９と熱交換器２８が設けられている。さらに放熱端末器３の内部に開閉弁１０が設けられており、開閉弁１０には往き配管２１と戻り配管２２が接続されている。また図１には、２台の放熱端末器３を示しているので、往き側及び戻り側の配管をそれぞれ、往き配管２１Ａ，Ｂと戻り配管２２Ａ，Ｂで示している。
制御端末９は、リモコン２４と接続されており、リモコン２４の操作により制御端末９に指令が伝わり、さらに通信線２９を介して温水式暖房システム１の運転、制御等が行われる。
【００３７】
熱交換器２８は、内部を通る温水暖房装置２に接続された往き配管２１が通過する構成となっている。往き配管２１の内部には、上述した熱源装置５によって加熱された温水が流れている。つまりその高温の温水の熱が、放熱端末器３から外部に放出される気体を加熱し、暖房の効果を得ることができる。
また、床暖房パネルであれば、床面を往き配管２１の温水が有する熱によって加熱し、暖房効果を得ることができる。
【００３８】
次に本実施形態の温水式暖房システム１の動作について、図面を参照しながら詳細に説明する。
本発明では、暖房システム１における運転、停止指令の際に、最大の特徴を発揮するが、便宜上運転中の動作も簡単に説明する。
【００３９】
図１に示す温水式暖房システム１の運転は、まず人為的に、リモコン２４からの運転要求が発生し、制御端末８，９が受信することから始まる。
運転指令後、まず循環ポンプ６が始動し、熱源装置５の送風装置１１が回転し、それと同時に燃焼部１７が燃焼を始め、温水配管２３内の温水が循環し始める。そして制御端末８における弁用電圧部１４からの電圧が往き側開閉弁１３ｐに出力され、往き側開閉弁１３ｐが開弁動作を開始する。そしてこのとき、制御端末８，９の通信により、放熱端末器３側の開閉弁１０が開弁動作を開始する。さらにその開弁から所定時間経過後、戻り側内部接続管１８と接続された戻り側開閉弁１３ｑに弁用電圧部１４から電圧が出力され、開弁動作を開始する。
【００４０】
また、この時の開閉弁１０，１３の開弁動作中は、循環ポンプ６のモータの回転数が、通常運転に比べると低く制御される。そのように制御することで、無駄な消費電力を抑えることができる。そして、この開閉弁１０，１３が開弁状態となったときが、温水式暖房システム１の暖房運転中である。
【００４１】
ここで暖房運転中について説明すると、熱源装置５の燃焼部１７の燃焼は、温水の温度によって常に制御されている。つまり、温度検知器７が検知する温度に基づいて、ＯＮ／ＯＦＦ制御あるいは比例制御により、暖房システム１の内部を循環する温水の温度を一定に保つようにされている。
なお、本発明でＯＮ／ＯＦＦ制御を採用する場合には、ＯＮを実行する際の温水の所定温度と、ＯＦＦを実行する際の温水の所定温度が異なる制御としている。例えば、温水温度が８０℃程度に達するとＯＦＦ制御が実行され、温水温度が６５℃程度に低下するとＯＮ制御が実行される。さらに、ＯＦＦ制御が実行された際には、送風装置１１が一定時間ポストパージを行う。なお、本発明は、比例制御を採用した構成としてもよい。
【００４２】
温水式暖房システム１を停止する場合の制御について、図２の制御フローチャートを用いて説明する。
【００４３】
まず、運転時と同じく、リモコン２４により停止要求が発生することから始まる。
そして、ステップ１では、停止指令として制御端末８，９に信号が伝わる。そしてステップ２へ進み、放熱端末器３が温水暖房装置２より高位置に設置されている場合に必要な制御切替がされているかを確認し、設定されていたならばステップ３へと進む。
【００４４】
ステップ３からは、本実施形態での制御が実施される。ステップ３では、ポスト循環が開始される。すなわち、循環ポンプ６が起動され、暖房システム内の温水が循環することである。そして、ステップ４に進み、上記した暖房運転中に燃焼部１７が停止した状態のポストパージ中でなければ、ステップ５へ進み、送風装置１１の運転が開始される。しかし、ステップ４で、ポストパージ中であればステップ５’に進み、送風装置１１の運転が維持される。
ここで言うポストパージは、熱源装置５内部の排気と、温水配管２３の温水の冷却を図ったものである。
【００４５】
また、このときの循環ポンプ６と送風装置１１のモータの回転数を通常の運転中の回転数より低くさせる制御をすれば、無駄な電力消費を抑えることができる。逆に、送風装置１１のモータの回転数を上げる制御をすることで、温水の冷却効果を促進することができ、それに伴って暖房システム１の停止を時間的に早めることが可能となる。
【００４６】
そして、ステップ５，５’の後は共にステップ６へと進み、制御端末９に残された開閉弁１０の開弁履歴を読み込む。詳細には、ステップ１の運転停止指令から、一定時間前、例えば放熱端末器３の運転の停止を指令した時点と、その時点から５分前の時点との間に開弁であった開閉弁１０の履歴を読み込む。そして、その読み込んだ履歴のうち、閉弁された開閉弁１０が存在すれば、開弁制御を行う。この制御では、放熱端末器３の開閉弁１０全てが開弁となるように制御しても構わない。このような制御を行うことで、放熱端末器３に滞留する高温の温水による「落水」を防止することができる。
【００４７】
そして、ステップ７へと進み、温度検知器７により温水の温度が検知され、低温沸騰しえない温度に達していれば、ステップ８へと進む。例えば、このときの温度は７８℃以下とすることができる。また、このとき所定温度以下に達していなければ、再びステップ７の確認が行われ、所定温度以下に達するまで繰り返し確認される。
【００４８】
ステップ８では、ステップ７で検知された温水の温度が一定時間連続で維持されればステップ９へと進む。つまり、一定時間連続して所定の温度以下の状態を保つことが確認されることで、暖房システム１内の略全体の温水が所定の温度に達していることと認識できる。このときの連続時間は、例えば４分間とすることができる。
【００４９】
しかし、検知した温度が所定温度以下の状態を４分間継続していなければ、ステップ９’へと進み、ステップ３のポスト循環開始からの所定の経過時間が、２０分を経過しているかどうかが確認される。２０分経過していなければ、再びステップ８を通過する。一方、２０分経過していれば、ステップ９へと進む。このような制御を行うことで、長時間循環ポンプ６や開閉弁１０，１３に電力が消費される問題から回避することが可能となる。
【００５０】
ステップ９では、戻り側開閉弁１３ｑが閉弁し、ステップ１０へと進む。ステップ１０では、放熱端末器３内部の開閉弁１０が閉弁し、ステップ１１へ進む。そして、ステップ１１で往き側開閉弁１３ｐが閉弁し、ステップ１２で送風装置１１が停止する。さらにステップ１３で、ポスト循環が停止し（循環ポンプ停止）、暖房システムが停止する。なお、本実施形態では、開閉弁１３に熱動弁を用いており、開閉弁１３の開閉動作に時間を要する特徴も利用されている。
【００５１】
またここで、上記したステップ２で切替手段１２の制御切替がされていなければ、ステップａへと進み、ポスト循環が開始される。つまり、放熱端末器３が高位置に設置されていないので、「落水」の心配が無い。そのため、本実施形態の制御が実施されない。これにより、無駄な消費電力が発生しない制御設定となり、経済的となる。
また、ステップｂでは、ポスト循環開始から１０分が経過していれば、ステップｃへと進み、開閉弁１０、１３が閉弁する。また、このとき１０分間経過していなければ、経過するまで繰り返し経過時間が確認される。そして、ステップｄへと進み、ポスト循環が停止し、暖房システム１が停止する。
【００５２】
上記した制御を備えることにより、本実施形態の温水暖房装置２及び温水式暖房システム１は、たとえ放熱端末器３が温水暖房装置２より高位置に設置された場合に、放熱端末器３側で配管内の圧力が大気圧以下となっても、温水が低温沸騰する問題を防止することができる。
つまり、本発明は、放熱端末器３側から暖房システム１の停止指令後、ポスト循環が開始され、それに伴って送風装置１１も運転が開始される。その際、暖房システム１の停止指令から５分前の間に開弁していた放熱端末器３側の開閉弁１０が開弁し、配管内の高温の温水が配管内を循環し始める。このことにより、複数の放熱端末器３を使用している場合も確実にポスト循環を行うことが可能となる。
【００５３】
また次に、配管内の温水を所定の温度以下（本実施形態では７８℃）まで冷却し、その温度以下の状態を所定の時間（本実施形態では４分間連続）継続あるいはポスト循環開始から所定の時間（本実施形態では２０分間）経過したときに、所定の時間差及び所定の順番で開閉弁１０，１３を閉弁し、送風装置１１の運転を停止させて、暖房システム１が停止する。
従って、本発明はこのような温水暖房装置２を備えた温水式暖房システム１として、上記した制御をさせることで、配管内における温水の低温沸騰が原因での「落水」を防止することができる。
【００５４】
上記実施形態の温水暖房装置２及び温水式暖房システム１では、開閉弁１３を温水暖房装置２内部に設ける構成を示したが、本発明は、これに限定されるわけではない。
例えば、温水暖房装置２と放熱端末器３とを繋ぐ温水配管２３の中途に設ける構成であってもよい。しかしこの場合、往き側と戻り側の配管のそれぞれに１つずつ開閉弁１３を設ける必要がある。複数の放熱端末器３が存在する場合は、それぞれの往き配管２１と戻り配管２２に開閉弁１３を設ける必要があるため、必要以上にコストがかかり不経済となる懸念が生じる。つまり上記実施形態のような構成であれば、複数の放熱端末器３が存在しても、往き配管２１と戻り配管２２にそれぞれ開閉弁１３は１つずつでよいので、コストがかからず経済的である。
【００５５】
上記実施形態の温水暖房装置２及び温水式暖房システム１では、熱源装置５における燃焼部（加熱手段）１７はオイルによる燃料で燃焼させる構成を示したが、本発明は、これに限定されるものではない。
例えば、燃焼部１７はガスにより燃焼する構成であってもよい。また、加熱手段１７は、電気加熱でもよい。
【００５６】
上記実施形態の温水暖房装置２及び温水式暖房システム１では、温水暖房装置２内部に設けられた温度検知器７により循環する温水の温度を検知し、制御を行う構成を示したが、本発明は、これに限定されるわけではない。
例えば、放熱端末器３内に温度検知器３を設け、そこで検知した温水の温度により制御を行う構成であってもよい。
【００５７】
上記実施形態の温水暖房装置２及び温水式暖房システム１では、図２に示すステップ３のポスト循環の後に送風装置１１を運転させる構成を示したが、本発明は、これに限定されるわけではない。
例えば、ステップ３のポスト循環の後、あるいはステップ３のポスト循環と同時にステップ６が確認され、その後にステップ４，５，５’が続く構成であってもよい。この場合も、ステップ７以降は上記実施形態と同様な順番であることが好ましい。この場合は、放熱端末器３の開弁履歴を読み込む一定時間前は、上記した実施形態に示した放熱端末器３の停止を指令してから５分前の間と同等あるいはそれ以下であっても構わない。
【図面の簡単な説明】
【００５８】
【図１】温水式暖房システムの作動原理図である。
【図２】図１に示す温水式暖房システムの動作を示すフローチャートである。
【符号の説明】
【００５９】
１    温水式暖房システム
２    温水暖房装置
３    放熱端末器
４    開放式タンク
５    熱源装置
６    循環ポンプ
７    温度検知器
８    制御端末
９    制御端末
１０    開閉弁
１１    送風装置
１２    切替手段
１３    開閉弁
１７    燃焼部（加熱手段）
２１    往き配管
２２    戻り配管
２３    温水配管
【図１】
0005316838.tif 000002
【図２】
0005316838.tif 000003